(57)【要約】【課題】室内空間の空気の温度分布を均一化させることができ、快適性、省エネ性の向上を図ることができる空気調和機の室内ユニットを提供する。【解決手段】空気調和機の室内ユニット２は、筐体４と、筐体４の内部に配置される熱交換器７と、熱交換器７の一方側に対応し、第１方向に向けて筐体４に開口される第１通風口５と、熱交換器７の他方側に対応し、第１方向とは異なる第２方向に向けて筐体４に開口される第２通風口６と、第１通風口５から第２通風口６に向かう第１送風と第２通風口６から第１通風口５に向かう第２送風とを切り換え可能な送風部８，９と、を備え、第１送風のときには、第１通風口５から空気を吸い込むとともに第２通風口６から空気を吹き出し、第２送風のときには、第２通風口６から空気を吸い込むとともに第１通風口５から空気を吹き出す。【選択図】  図２
2018138840.tif 000002
【特許請求の範囲】
【請求項１】
筐体と、
前記筐体の内部に配置される熱交換器と、
前記熱交換器の一方側に対応し、第１方向に向けて前記筐体に開口される第１通風口と、
前記熱交換器の他方側に対応し、前記第１方向とは異なる第２方向に向けて前記筐体に開口される第２通風口と、
前記第１通風口から前記第２通風口に向かう第１送風と前記第２通風口から前記第１通風口に向かう第２送風とを切り換え可能な送風部と、
を備え、
前記第１送風のときには、前記第１通風口から空気を吸い込むとともに前記第２通風口から空気を吹き出し、
前記第２送風のときには、前記第２通風口から空気を吸い込むとともに前記第１通風口から空気を吹き出す空気調和機の室内ユニット。
【請求項２】
前記送風部は、
前記熱交換器の一方側に設けられる第１送風機と、
前記熱交換器の他方側に設けられる第２送風機と、
前記第１送風機と前記第２送風機の回転数をそれぞれ異ならせて前記第１送風と前記第２送風とを切り換える制御を行う送風制御部と、
を備える請求項１に記載の空気調和機の室内ユニット。
【請求項３】
前記第１送風機と前記第２送風機とが、それぞれクロスフローファンから成る請求項２に記載の空気調和機の室内ユニット。
【請求項４】
エアフィルタと、
前記熱交換器の一方側に対応して設けられ、前記エアフィルタが配置される第１配置部と、
前記熱交換器の他方側に対応して設けられ、前記エアフィルタが配置される第２配置部と、
を備える請求項１から請求項３のいずれか１項に記載の空気調和機の室内ユニット。
【請求項５】
エアフィルタと、
前記エアフィルタを移動させるフィルタ駆動部と、
前記フィルタ駆動部の制御を行うフィルタ制御部と、
を備え、
前記フィルタ制御部は、
前記第１送風のときには、前記エアフィルタを前記第１送風口と前記熱交換器との間に配置させるとともに前記第２送風口と前記熱交換器との間から退避させる制御を行い、
前記第２送風のときには、前記エアフィルタを前記第２送風口と前記熱交換器との間に配置させるとともに前記第１送風口と前記熱交換器との間から退避させる制御を行う
請求項１から請求項４のいずれか１項に記載の空気調和機の室内ユニット。
【請求項６】
前記第１通風口に設けられる第１風向板と、
前記第１風向板の角度を調整する第１風向調整部と、
前記第２通風口に設けられる第２風向板と、
前記第２風向板の角度を調整する第２風向調整部と、
前記第１風向調整部と第２風向調整部との制御を行う風向制御部と、
を備える請求項１から請求項５のいずれか１項に記載の空気調和機の室内ユニット。
【請求項７】
前記第１通風口が前記第２通風口よりも下方位置に設けられ、かつ前記第１通風口が下方向に向けて開口されるとともに前記第２通風口が水平方向に向けて開口され、
前記送風部は、冷房運転のときに前記第１送風を行うとともに暖房運転のときに前記第２送風を行う請求項１から請求項６のいずれか１項に記載の空気調和機の室内ユニット。
【発明の詳細な説明】
【技術分野】
【０００１】
本発明の実施形態は、空気調和機の室内ユニットに関する。
【背景技術】
【０００２】
従来の空気調和機の室内ユニットでは、吸込口から吸い込んだ空気を、熱交換器を通過させることで適切な温度に調整し、この空気を吹出口から吹き出すようにしている。
【先行技術文献】
【特許文献】
【０００３】
【特許文献１】特開平５−２８０７６０号公報
【発明の概要】
【発明が解決しようとする課題】
【０００４】
しかしながら、従来の空気調和機の室内ユニットでは、空気を吸い込む方向が常に同じ方向であり、かつ空気を吹き出す方向も常に同じ方向であるので、室内空間の空気の温度分布に偏りが生じてしまい、快適な温度分布にならない場合がある。さらに、快適性を求めることにより過剰に空気調和機を稼働させてしまい、消費電力が嵩んでしまうという課題がある。
【０００５】
本発明の実施形態は、このような事情を考慮してなされたもので、室内空間の空気の温度分布を均一化させることができ、快適性、省エネ性の向上を図ることができる空気調和機の室内ユニットを提供することを目的とする。
【課題を解決するための手段】
【０００６】
本発明の実施形態に係る空気調和機の室内ユニットは、筐体と、前記筐体の内部に配置される熱交換器と、前記熱交換器の一方側に対応し、第１方向に向けて前記筐体に開口される第１通風口と、前記熱交換器の他方側に対応し、前記第１方向とは異なる第２方向に向けて前記筐体に開口される第２通風口と、前記第１通風口から前記第２通風口に向かう第１送風と前記第２通風口から前記第１通風口に向かう第２送風とを切り換え可能な送風部と、を備え、前記第１送風のときには、前記第１通風口から空気を吸い込むとともに前記第２通風口から空気を吹き出し、前記第２送風のときには、前記第２通風口から空気を吸い込むとともに前記第１通風口から空気を吹き出す。
【図面の簡単な説明】
【０００７】
【図１】第１実施形態の空気調和機の室内ユニットを示す斜視図。
【図２】第１実施形態の空気調和機の室内ユニットを示す断面図。
【図３】第１実施形態の冷房運転時の室内の気流を示す断面図。
【図４】第１実施形態の暖房運転時の室内の気流を示す断面図。
【図５】第１実施形態の空気調和機を示すブロック図。
【図６】第１実施形態の運転切換処理を示すフローチャート。
【図７】第２実施形態の第１運転時の室内の気流を示す断面図。
【図８】第２実施形態の第２運転時の室内の気流を示す断面図。
【図９】第２実施形態の運転切換処理を示すフローチャート。
【発明を実施するための形態】
【０００８】
（第１実施形態）
以下、本実施形態を添付図面に基づいて説明する。まず、第１実施形態の空気調和機の室内ユニットについて図１から図６を用いて説明する。以下、図２から図４の紙面左側を正面側（前方側）とし、紙面右側を背面側（後方側）として説明する。図１の符号１は、室内の空気の温度を調節する空気調和機である。この空気調和機１は、室内の天井Ｔに設けられる室内ユニット２と、室外に設けられる室外ユニット３（図３参照）とを備える。
【０００９】
本実施形態では、天井Ｔに吊り下げられる天井吊下型の室内ユニット２を例示している。この室内ユニット２は、天井Ｔに埋め込まれる天井埋込型、室内の高所に取り付けられる壁掛け型、または床に設置される床置き型などであっても良い。
【００１０】
図１に示すように、室内ユニット２は、室内において天井Ｔと壁Ｋとが合わさる角部に配置される。この室内ユニット２は、横長の箱状を成す筐体４を備える。また、筐体４の下面側には、下方向（第１方向）に向けて開口される第１通風口５が設けられる。さらに、筐体４の正面側には、水平方向（第２方向；前方向）に向けて開口される第２通風口６が設けられる。つまり、第１通風口５が第２通風口６よりも下方位置に設けられ、第２通風口６が第１通風口５の開口方向とは異なる方向に向けて開口されている。
【００１１】
本実施形態の室内ユニット２は、冷房運転時に第１通風口５から空気Ｃを吸い込むとともに第２通風口６から空気Ｃを吹き出す第１送風（冷房送風）を行う。また、この室内ユニット２は、暖房運転時に第２通風口６から空気Ｈを吸い込むとともに第１通風口５から空気Ｈを吹き出す第２送風（暖房送風）を行う。
【００１２】
このようにすれば、第１通風口５が下方向から空気を吸い込んで第２通風口６が水平方向に向けて空気Ｃを吹き出す第１送風の態様（図３参照）と、第２通風口６が水平方向から空気を吸い込んで第１通風口５が下方向に向けて空気Ｈを吹き出す第２送風の態様（図４参照）との２つの送風態様が可能になるので、冷房運転時または暖房運転時のいずれの場合であっても、室内空間Ｎの空気の温度分布を均一化させることができる。つまり、冷房運転に適した気流Ｃ、または暖房運転に適した気流Ｈを室内空間Ｎに生じさせることができる。
【００１３】
図３に示すように、第１送風の態様では、第２通風口６から吹き出した空気Ｃが天井Ｔに沿って流れるとともに、室内ユニット２に対向する壁Ｋに沿って降下する。そして、空気Ｃが床面Ｕに沿って流れるとともに、室内ユニット２が設けられた壁Ｋに沿って上昇し、第１通風口５から吸い込まれる。
【００１４】
図４に示すように、第２送風の態様では、第１通風口５から吹き出した空気Ｈが壁Ｋに沿って降下するとともに、床面Ｕに沿って流れる。そして、空気Ｈが室内ユニット２に対向する壁Ｋに沿って上昇し、天井Ｔに沿って流れて第２通風口６から吸い込まれる。
【００１５】
図２に示すように、室内ユニット２は、筐体４の内部に配置される熱交換器７と、熱交換器７の一方側（後方側）に設けられる第１ファン８（第１送風機）と、熱交換器７の他方側（前方側）に設けられる第２ファン９（第２送風機）とを備える。つまり、２つのファン８，９の間に熱交換器７が配置される。
【００１６】
室内ユニット２の熱交換器７と室外ユニット３とが、冷媒を循環させる接続配管１０を介して接続されている。この熱交換器７と室外ユニット３との間で冷媒を循環させることで冷凍サイクルが構成される。
【００１７】
熱交換器７は、冷媒が通過する冷媒管１１と、冷媒管１１と連結された複数枚のフィン１２とを備える。この熱交換器７は、冷媒管１１と室外ユニット３との間で冷媒が循環され、通過する空気と冷媒との間で熱交換を行うことができる。この熱交換器７は、冷房運転時は蒸発器として機能し、周囲の空気の温度を低下させる。また、熱交換器７は、暖房運転時は凝縮器として機能し、周囲の空気の温度を上昇させる。
【００１８】
熱交換器７は、空気Ｈを前方から後方に向けて流すことができる。また、空気Ｃを後方から前方に向けて流すことができる。なお、熱交換器７を覆う筐体４は、第１通風口５と第２通風口６との間で通風がなされる。
【００１９】
第１通風口５は、熱交換器７の一方側に対応して筐体４に開口される。また、第２通風口６は、熱交換器７の他方側に対応して筐体４に開口される。つまり、第１通風口５から第２通風口６に向かう第１送風と、第２通風口６から第１通風口５に向かう第２送風とを切り換えることができる。
【００２０】
第１ファン８と第２ファン９とは、それぞれクロスフローファン（横流ファン）から成る。クロスフローファンは、複数枚のランナー（翼）１３，１４が円筒状に配置されたファンである。このようにすれば、クロスフローファンを構成する複数枚のランナー１３，１４の間を空気が取り抜けることができ、第１送風または第２送風のいずれの場合でも空気が通過されるようになる。なお、第１ファン８と第２ファン９との近傍には、空気の流れを案内する案内部１５，１６，１７が設けられる。
【００２１】
室内ユニット２には、第１ファン８を回転させる第１ファン駆動部１８（モータ）が設けられるとともに、第２ファン９を回転させる第２ファン駆動部１９（モータ）が設けられる。図２において、第１ファン８が時計回りに回転される。一方、第２ファン９が反時計回りに回転される。
【００２２】
第１ファン駆動部１８と第２ファン駆動部１９とは、それぞれの回転数を異ならせることができる。つまり、第１ファン８と第２ファン９の回転数をそれぞれ異ならせることができる。また、第１ファン駆動部１８と第２ファン駆動部１９とは、いずれか一方を駆動させるとともに他方を停止させることができる。
【００２３】
第１送風を行うときには、第２ファン９を高速回転させるとともに第１ファン８を低速回転させる。また、第２送風を行うときには、第１ファン８を高速回転させるとともに第２ファン９を低速回転させる。つまり、第１ファン８と第２ファン９の回転数をそれぞれ異ならせることで、第１送風と第２送風とを切り換えることができる。すなわち、熱交換器７の内部通路２０を通過する空気の流れを反転させることができる。
【００２４】
このようにすれば、第１送風と第２送風とを切り換えることが可能な送風部を２つのファン８，９を用いて構成することができる。なお、第１ファン８と第２ファン９の回転数をそれぞれ異ならせる態様には、第１ファン８と第２ファン９のいずれか一方の回転を停止させる態様を含む。
【００２５】
第１通風口５および第２通風口６の形状は、横長の長方形状を成す。また、第１通風口５および第２通風口６の開口面積は、互いにほぼ同じ開口面積となっている。さらに、第１通風口５の開口幅Ｄ１と第２通風口６の開口幅Ｄ２とは、ほぼ同じになっている。第１通風口５と第２通風口６の離間幅Ｌは、第１通風口５の開口幅Ｄ１または第２通風口６の開口幅Ｄ２の３．５倍以上となっている。なお、離間幅Ｌは、第１通風口５の開口幅Ｄ１または第２通風口６の開口幅Ｄ２に対して、少なくとも２倍の長さがあれば良い。このようにすれば、一方の通風口５，６から吹き出した空気が直ぐに他方の通風口５，６に吸い込まれてしまう気流のショートサーキットを防ぐことができる。
【００２６】
第１通風口５には、第１送風が行われるときに、この第１通風口５から吸い込まれる空気の温度を測る第１温度センサ２１が設けられる。また、第２通風口６には、第２送風が行われるときに、この第２通風口６から吸い込まれる空気の温度を測る第２温度センサ２２が設けられる。
【００２７】
第１送風を行うときには、第１温度センサ２１が検出した空気の温度が目標温度まで低下した時点で送風の出力を低減させても良い。また、第２送風を行うときには、第２温度センサ２２が検出した空気の温度が目標温度に上昇した時点で送風の出力を低減させても良い。
【００２８】
なお、第１温度センサ２１が検出した空気の温度が目標温度に低下した時点で、熱交換器７の冷房モードを維持しつつ出力を低下させて、第１送風を第２送風に切り換えても良い。また、第２温度センサ２２が検出した空気の温度が目標温度に上昇した時点で、熱交換器７の暖房モードを維持しつつ出力を低下させて、第２送風を第１送風に切り換えても良い。このようにすれば、室内空間Ｎの空気の温度分布を均一化した後に、さらに室内空間Ｎの空気を撹拌させることができる。
【００２９】
第１通風口５には、第１風向板２３と、この第１風向板２３の角度を調整する第１風向調整部２４（モータ）とが設けられる。さらに、第２通風口６には、第２風向板２５と、この第２風向板２５の角度を調整する第２風向調整部２６（モータ）とが設けられる。このようにすれば、空気の吹き出し口が第１通風口５または第２通風口６のいずれであっても、風向を調整することができる。
【００３０】
第１風向板２３および第２風向板２５は、第１通風口５および第２通風口６の開口とほぼ同じ大きさの板部材である。第１風向板２３および第２風向板２５は、軸を中心として揺動される。空気調和機１を使用しないとき（運転停止時）には、第１風向板２３および第２風向板２５の角度が、第１通風口５および第２通風口６を塞ぐ角度に調整される。また、冷房運転時には、第１風向板２３および第２風向板２５が冷房用の角度に調整される。さらに、暖房運転時には、第１風向板２３および第２風向板２５が暖房用の角度に調整される。
【００３１】
熱交換器７の下方位置には、熱交換器７で空気から分離された水滴を受けるドレンパン２７が設けられている。また、このドレンパン２７の下方位置には、フィルタ部材２８が設けられる。このフィルタ部材２８には、後方側に第１エアフィルタ２９が設けられるとともに、前方側に第２エアフィルタ３０が設けられる。つまり、第１エアフィルタ２９と第２エアフィルタ３０とが一体的な部材を成す。なお、フィルタ部材２８は、可撓性を有する。
【００３２】
第１通風口５と熱交換器７との間には、熱交換器７の一方側に対応して設けられ、第１エアフィルタ２９が配置可能な第１配置部３１が設けられる。また、第２通風口６と熱交換器７との間には、熱交換器７の他方側に対応して設けられ、第２エアフィルタ３０が配置可能な第２配置部３２が設けられる。
【００３３】
室内ユニット２は、フィルタ部材２８を前後方向にスライド移動させるフィルタ駆動部３３（モータ）を備える。このフィルタ駆動部３３を駆動させることで、第１エアフィルタ２９が第１配置部３１に配置される後方位置と、第２エアフィルタ３０が第２配置部３２に配置される前方位置との間で、フィルタ部材２８を前後方向に移動させることができる。このようにすれば、送風の切り換えに応じてエアフィルタ２９，３０を配置することができる。
【００３４】
本実施形態では、第１送風を行うときには、第１エアフィルタ２９が第１配置部３１に配置される。一方、第２送風を行うときには、第２エアフィルタ３０が第２配置部３２に配置される。このようにすれば、熱交換器７に対していずれの方向から空気が通過しても塵を取り除くことができる。
【００３５】
第１通風口５（第１配置部３１）の内部背面には、フィルタ部材２８が後方位置に移動されたときに、その後端縁が嵌る第１凹部３４が設けられる。また、第２通風口６（第２配置部３２）の内部上面には、フィルタ部材２８が前方位置に移動されたときに、フィルタ部材２８の前端縁が嵌る第２凹部３５が設けられる。これらの第１凹部３４および第２凹部３５がフィルタ部材２８を支持する支持部となっている。
【００３６】
筐体４の下面の前方位置には、空気調和機１を遠隔操作するためのワイヤレスリモコン３６（図５参照）から送信される赤外線信号Ｒ（無線信号）を受信する受信部３７が設けられる。なお、壁Ｋにワイヤードリモコンを設けるようにし、このワイヤードリモコンを用いて空気調和機１を遠隔操作しても良い。
【００３７】
次に、空気調和機１のシステム構成を図５に示すブロック図を参照して説明する。図５に示すように、室内ユニット２は、各種装置を制御するメイン制御部３８を備える。
【００３８】
使用者Ｍが操作を行うワイヤレスリモコン３６から送信された赤外線信号Ｒは、受信部３７で受信される。この受信部３７は、赤外線信号Ｒの受信に基づいて信号をメイン制御部３８に入力する。また、第１温度センサ２１は、第１通風口５の空気の温度をメイン制御部３８に入力する。一方、第２温度センサ２２は、第２通風口６の空気の温度をメイン制御部３８に入力する。
【００３９】
メイン制御部３８は、室外ユニット３の制御を行う室外ユニット制御部３９と、運転モードの制御を行う運転モード制御部４０と、第１ファン駆動部１８および第２ファン駆動部１９の制御を行う送風制御部４１と、第１風向調整部２４および第２風向調整部２６の制御を行う風向制御部４２と、フィルタ駆動部３３の制御を行うフィルタ制御部４３とを備える。
【００４０】
メイン制御部３８は、各装置に制御信号を出力し、空気調和機１の運転制御を行う。本実施形態では、第１ファン８と第２ファン９と第１ファン駆動部１８と第２ファン駆動部１９と送風制御部４１とで送風部が構成される。
【００４１】
本実施形態のメイン制御部３８は、プロセッサおよびメモリなどのハードウェア資源を有し、ＣＰＵが各種プログラムを実行することで、ソフトウェアによる情報処理がハードウェア資源を用いて実現されるコンピュータで構成される。さらに、本実施形態の空気調和方法は、プログラムをコンピュータに実行させることで実現される。
【００４２】
次に、第１実施形態のメイン制御部３８が実行する運転切換処理について図６のフローチャートを用いて説明する。なお、フローチャートの各ステップの説明にて、例えば「ステップＳ１１」と記載する箇所を「Ｓ１１」と略記する。
【００４３】
図６に示すように、まず、メイン制御部３８は、冷房運転の開始操作があるか否か、つまり、ワイヤレスリモコン３６から冷房運転の開始操作を示す赤外線信号Ｒを受信した否かを判定する（Ｓ１１）。ここで、冷房運転の開始操作がない場合（Ｓ１１がＮＯ）は、後述のＳ１６に進む。一方、冷房運転の開始操作がある場合（Ｓ１１がＹＥＳ）は、Ｓ１２に進む。
【００４４】
Ｓ１２にて運転モード制御部４０は、熱交換器７を蒸発器として機能させる冷房運転を開始する。このとき、室外ユニット制御部３９は、室外ユニット３を制御して冷房運転を開始する。
【００４５】
次に、フィルタ制御部４３は、フィルタ駆動部３３を駆動させることで、フィルタ部材２８を後方位置に移動させる制御を行う（Ｓ１３）。このときに、第１エアフィルタ２９が第１配置部３１に配置されるとともに、第２エアフィルタ３０が第２配置部３２から退避される。
【００４６】
次に、風向制御部４２は、第１風向調整部２４を駆動して第１風向板２３の角度を冷房用の角度に調整するとともに、第２風向調整部２６を駆動して第２風向板２５の角度を冷房用の角度に調整する（Ｓ１４）。このとき、第１風向板２３は第１通風口５を略全開とする角度に調整されるとともに、第２風向板２５は空気Ｃを水平方向に吹き出す角度に調整される。
【００４７】
次に、送風制御部４１は、第２ファン駆動部１９を制御してその回転数を上げることにより第２ファン９の高速回転を開始するとともに、第１ファン駆動部１８を制御してその回転数を下げることにより第１ファン８の低速回転を開始する（Ｓ１５）。第２ファン９を高速回転させるとともに第１ファン８を低速回転させることで、空気Ｃが第１通風口５から第２通風口６に向かう第１送風を行うことができる。そして、処理を終了する。
【００４８】
前述のＳ１１がＮＯの場合に進むＳ１６において、メイン制御部３８は、暖房運転の開始操作があるか否か、つまり、ワイヤレスリモコン３６から暖房運転の開始操作を示す赤外線信号Ｒを受信した否かを判定する。ここで、暖房運転の開始操作がない場合（Ｓ１６がＮＯ）は、処理を終了する。一方、暖房運転の開始操作がある場合（Ｓ１６がＹＥＳ）は、Ｓ１７に進む。
【００４９】
Ｓ１７にて運転モード制御部４０は、熱交換器７を凝縮器として機能させる暖房運転を開始する。このとき、室外ユニット制御部３９は、室外ユニット３を制御して暖房運転を開始する。
【００５０】
次に、フィルタ制御部４３は、フィルタ駆動部３３を駆動させることで、フィルタ部材２８を前方位置に移動させる制御を行う（Ｓ１８）。このときに、第２エアフィルタ３０が第２配置部３２に配置されるとともに、第１エアフィルタ２９が第１配置部３１から退避される。
【００５１】
次に、風向制御部４２は、第１風向調整部２４を駆動して第１風向板２３の角度を暖房用の角度に調整するとともに、第２風向調整部２６を駆動して第２風向板２５の角度を暖房用の角度に調整する（Ｓ１９）。このとき、第１風向板２３は空気Ｈを斜め下方向に吹き出す角度に調整されるとともに、第２風向板２５は第２通風口６を略全開とする角度に調整される。
【００５２】
次に、送風制御部４１は、第１ファン駆動部１８を制御してその回転数を上げることにより第１ファン８の高速回転を開始するとともに、第２ファン駆動部１９を制御してその回転数を下げることにより第２ファン９の低速回転を開始する（Ｓ２０）。第１ファン８を高速回転させるとともに第２ファン９を低速回転させることで、空気Ｈが第２通風口６から第１通風口５に向かう第２送風を行うことができる。そして、処理を終了する。
【００５３】
（第２実施形態）
次に、第２実施形態の空気調和機５１について図７から図９を用いて説明する。なお、前述した実施形態に示される構成部分と同一構成部分については同一符号を付して重複する説明を省略する。以下、図７から図８の紙面右側を第１側（第１方向）とし、紙面左側を第２側（第２方向）として説明する。
【００５４】
図７および図８に示すように、第２実施形態の室内ユニット５２は、室内において天井Ｔの中央部に設けられる。また、室内ユニット５２の筐体５４の内部において、その中央部に熱交換器５７が設けられる。また、第１ファン５８（第１送風機）が熱交換器５７の第１側（右側）に設けられるとともに、第２ファン５９（第２送風機）が熱交換器５７の第２側（左側）に設けられる。
【００５５】
さらに、筐体５４の第１側（右側）には、第１方向（右方向）に向けて開口される第１通風口５５が設けられる。また、筐体５４の第２側（左側）には、第２方向（左方向）に向けて開口される第２通風口５６が設けられる。つまり、第１通風口５５と第２通風口５６とが同じ高さ位置に設けられ、第２通風口５６が第１通風口５５の開口方向とは異なる方向に向けて開口されている。
【００５６】
第２実施形態の室内ユニット５２は、第１送風時に第１通風口５５から空気Ｆ１を吸い込むとともに第２通風口５６から空気Ｆ１を吹き出す（図７参照）。また、この室内ユニット５２は、第２送風時に第２通風口５６から空気Ｆ２を吸い込むとともに第１通風口５５から空気Ｆ２を吹き出す（図８参照）。つまり、一方向の流れまたは他方向の流れを室内空間Ｎに生じさせることができる。なお、冷房運転時または暖房運転時のいずれの場合であっても、第１送風または第２送風を行うことができる。
【００５７】
また、室内ユニット５２は、人Ｍが居る方向を検知する人感センサ６０を備える。この人感センサ６０は、筐体５４の下面側に設けられる。図７に示すように、第１方向Ｗ１に人Ｍが居る場合は、第１送風を行う。このようにすることで、室内ユニット５２の第２通風口５６から吹き出す空気Ｆ１が、直接、人Ｍに当たらないようにできる。図８に示すように、第２方向Ｗ２に人Ｍが居る場合は、第２送風を行う。このようにすることで、室内ユニット５２の第１通風口５５から吹き出す空気Ｆ２が、直接、人Ｍに当たらないようにできる。
【００５８】
次に、第２実施形態のメイン制御部３８が実行する運転切換処理について図９のフローチャートを用いて説明する。図９に示すように、まず、メイン制御部３８は、冷房運転の開始操作があるか否か、つまり、ワイヤレスリモコン３６から冷房運転の開始操作を示す赤外線信号Ｒを受信した否かを判定する（Ｓ２１）。ここで、冷房運転の開始操作がない場合（Ｓ２１がＮＯ）は、後述のＳ２３に進む。一方、冷房運転の開始操作がある場合（Ｓ２１がＹＥＳ）は、Ｓ２２に進む。
【００５９】
Ｓ２２にて運転モード制御部４０は、熱交換器５７を蒸発器として機能させる冷房運転を開始する。このとき、室外ユニット制御部３９は、室外ユニット３を制御して冷房運転を開始する。そして、後述のＳ２５に進む。
【００６０】
前述のＳ２１がＮＯの場合に進むＳ２３において、メイン制御部３８は、暖房運転の開始操作があるか否か、つまり、ワイヤレスリモコン３６から暖房運転の開始操作を示す赤外線信号Ｒを受信した否かを判定する（Ｓ２３）。ここで、暖房運転の開始操作がない場合（Ｓ２３がＮＯ）は、後述のＳ２５に進む。一方、暖房運転の開始操作がある場合（Ｓ２３がＹＥＳ）は、Ｓ２４に進む。
【００６１】
Ｓ２４にて運転モード制御部４０は、熱交換器５７を凝縮器として機能させる暖房運転を開始する。このとき、室外ユニット制御部３９は、室外ユニット３を制御して暖房運転を開始する。そして、Ｓ２５に進む。
【００６２】
Ｓ２５にてメイン制御部３８は、人感センサ６０の検知信号に基づいて、第１方向Ｗ１に人Ｍが居るか否かを判定する。ここで、第１方向Ｗ１に人Ｍが居ない場合（Ｓ２５がＮＯ）は、後述のＳ２７に進む。一方、第１方向Ｗ１に人Ｍが居る場合（Ｓ２５がＹＥＳ）は、Ｓ２６に進む。
【００６３】
Ｓ２６にて送風制御部４１は、第２ファン駆動部１９を開始することにより第２ファン５９の回転を開始するとともに、第１ファン駆動部１８を停止することにより第１ファン５８の回転を停止する。そして、処理を終了する。
【００６４】
前述のＳ２５がＮＯの場合に進むＳ２７において、メイン制御部３８は、人感センサ６０の検知信号に基づいて、第２方向Ｗ２に人Ｍが居るか否かを判定する。ここで、第２方向Ｗ２に人Ｍが居ない場合（Ｓ２７がＮＯ）は、処理を終了する。一方、第２方向Ｗ２に人Ｍが居る場合（Ｓ２７がＹＥＳ）は、Ｓ２８に進む。
【００６５】
Ｓ２８にて送風制御部４１は、第１ファン駆動部１８を開始することにより第１ファン５８の回転を開始するとともに、第２ファン駆動部１９を停止することにより第２ファン５９の回転を停止する。そして、処理を終了する。
【００６６】
なお、第２実施形態では、第１方向Ｗ１に人Ｍが居る場合は、第１送風を行い、第２方向Ｗ２に人Ｍが居る場合は、第２送風を行うようにしているが、逆に、第１方向Ｗ１に人Ｍが居る場合は、第２送風を行い、第２方向Ｗ２に人Ｍが居る場合は、第１送風を行うようにし、空気Ｆ１または空気Ｆ２が、直接、人Ｍに当るようにしても良い。また、人Ｍの居る場所が、第１方向Ｗ１と第２方向Ｗ２のどちらでもない場合は、所定時間毎に第１送風と第２送風とを切替えるようにしても良いし、輻射センサまたは熱画像センサなどを用いて室内空間Ｎの温度分布を検知し、目標温度との差が大きい方向に送風を行うようにしても良い。
【００６７】
本実施形態に係る空気調和機を第１実施形態から第２実施形態に基づいて説明したが、いずれか１の実施形態において適用された構成を他の実施形態に適用しても良いし、各実施形態において適用された構成を組み合わせても良い。例えば、第２実施形態の人感センサ６０を第１実施形態の室内ユニット２に搭載し、第１実施形態においても人Ｍが居る方向に応じた空調制御を行っても良い。
【００６８】
なお、本実施形態のフローチャートにおいて、各ステップが直列に実行される形態を例示しているが、必ずしも各ステップの前後関係が固定されるものでなく、一部のステップの前後関係が入れ替わっても良い。また、一部のステップが他のステップと並列に実行されても良い。
【００６９】
なお、本実施形態では、第１送風と第２送風とを切り換えることが可能なファン８，９がクロスフローファンで構成されているが、第１送風と第２送風とを切り換えることが可能なファンをその他のファンで構成しても良い。例えば、プロペラファン（軸流ファン）であっても良いし、シロッコファンであっても良い。
【００７０】
なお、本実施形態では、第１送風と第２送風とを切り換えることが可能な送風部を２つのファン８，９を用いて構成しているが、１つのファンを用いて送風部を構成しても良い。例えば、１つのファンを、正方向に回転させることで第１送風が行われ、逆方向に回転させることで第２送風が行われるようにしても良い。
【００７１】
なお、本実施形態では、第１配置部３１と第２配置部３２のうち、一方にエアフィルタ２９が配置されているときに、他方からエアフィルタ３０が退避されるが、第１エアフィルタ２９と第２エアフィルタ３０とが、第１配置部３１と第２配置部３２とのそれぞれに同時に配置されても良いし、同時に退避されても良い。
【００７２】
なお、本実施形態では、エアフィルタ２９，３０が移動可能となっているが、エアフィルタ２９，３０が第１配置部３１と第２配置部３２とにそれぞれ固定されても良い。また、熱交換器７と第１ファン８との間に第１エアフィルタ２９を設けるとともに、熱交換器７と第２ファン９との間に第２エアフィルタ３０を設けても良い。
【００７３】
なお、本実施形態では、第１エアフィルタ２９と第２エアフィルタ３０とが一体的な部材を成しているが、第１エアフィルタ２９と第２エアフィルタ３０とが個別の部材であっても良い。さらに、本実施形態では、第１エアフィルタ２９と第２エアフィルタ３０とが前後方向にスライド移動されるが、第１エアフィルタ２９と第２エアフィルタ３０とが揺動されても良い。
【００７４】
なお、本実施形態では、第１風向板２３および第２風向板２５が軸を中心として揺動される部材となっているが、第１風向板２３および第２風向板２５は、スライド移動される部材であっても良い。
【００７５】
以上説明した実施形態によれば、第１通風口から第２通風口に向かう第１送風と第２通風口から第１通風口に向かう第２送風とを切り換え可能な送風部を備えることにより、室内空間の空気の温度分布を均一化させることができ、快適性、省エネ性の向上を図ることができる。
【００７６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００７７】
１…空気調和機、２…室内ユニット、３…室外ユニット、４…筐体、５…第１通風口、６…第２通風口、７…熱交換器、８…第１ファン、９…第２ファン、１０…接続配管、１１…冷媒管、１２…フィン、１３，１４…ランナー、１５，１６，１７…案内部、１８…第１ファン駆動部、１９…第２ファン駆動部、２０…内部通路、２１…第１温度センサ、２２…第２温度センサ、２３…第１風向板、２４…第１風向調整部、２５…第２風向板、２６…第２風向調整部、２７…ドレンパン、２８…フィルタ部材、２９…第１エアフィルタ、３０…第２エアフィルタ、３１…第１配置部、３２…第２配置部、３３…フィルタ駆動部、３４…第１凹部、３５…第２凹部、３６…ワイヤレスリモコン、３７…受信部、３８…メイン制御部、３９…室外ユニット制御部、４０…運転モード制御部、４１…送風制御部、４２…風向制御部、４３…フィルタ制御部、５１…空気調和機、５２…室内ユニット、５４…筐体、５５…第１通風口、５６…第２通風口、５７…熱交換器、５８…第１ファン、５９…第２ファン、６０…人感センサ、Ｃ…空気（気流）、Ｈ…空気（気流）、Ｄ１…開口幅、Ｄ２…開口幅、Ｌ…離間幅、Ｋ…壁、Ｎ…室内空間、Ｔ…天井、Ｕ…床面、Ｍ…使用者（人）、Ｒ…赤外線信号、Ｆ１…空気、Ｆ２…空気、Ｗ１…第１方向、Ｗ２…第２方向。
【図１】
2018138840.tif 000003
【図２】
2018138840.tif 000004
【図３】
2018138840.tif 000005
【図４】
2018138840.tif 000006
【図５】
2018138840.tif 000007
【図６】
2018138840.tif 000008
【図７】
2018138840.tif 000009
【図８】
2018138840.tif 000010
【図９】
2018138840.tif 000011